【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
衣服と共に使用するためのファスナーアセンブリであって、第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、
ｉ）前記第１および第２ファスナーテープの各々の前記第２エッジが重複し、
ｉｉ）前記第１ファスナーテープの前記第２エッジがファスニング務歯の前記噛合領域を完全に覆い、
ｉｉｉ）前記第１ファスナーテープの前記第２エッジの、前記第２ファスナーテープの前記第２エッジによる重複部分がファスニング務歯の前記噛合領域を越えて延在する、ファスナーアセンブリ。
【請求項２】
防護衣料用布帛と、防護衣料用布帛の第１および第２領域をつなぐためのファスナーアセンブリとを含む衣服であって、
ａ）前記ファスナーアセンブリが第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、前記第１および第２ファスナーテープの各々の前記第２エッジが重複し、前記第１ファスナーテープの前記第２エッジがファスニング務歯の前記噛合領域を完全に覆い、前記第１ファスナーテープの前記第２エッジの、前記第２ファスナーテープの前記第２エッジによる重複部分がファスニング務歯の前記噛合領域を越えて延在し、
ｂ）前記衣服が、前記ファスナーアセンブリを防護衣料用布帛の前記第１領域へ前記第１ファスナーテープの前記第１および第２エッジを通って取り付ける第１縫い目と、前記ファスナーアセンブリを防護衣料用布帛の前記第２領域へ前記第２ファスナーテープの前記第１および第２エッジを通って取り付ける第２縫い目とを有し、
但し前記第１縫い目は前記第２ファスナーテープを通って縫わず、前記第２縫い目は前記第１ファスナーテープを通って縫わない、衣服。
【請求項３】
防護衣料用布帛と、防護衣料用布帛の第１および第２領域をつなぐためのファスナーアセンブリとを含む衣服であって、
ａ）前記ファスナーアセンブリが第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、前記第１および第２ファスナーテープの各々の前記第２エッジが重複し、前記第１ファスナーテープの前記第２エッジがファスニング務歯の前記噛合領域を完全に覆い、前記第１ファスナーテープの前記第２エッジの、前記第２ファスナーテープの前記第２エッジによる重複部分がファスニング務歯の前記噛合領域を越えて延在し、
ｂ）前記衣服が、前記ファスナーアセンブリを防護衣料用布帛の前記第１領域へ前記第１ファスナーテープの前記第１エッジを通って取り付ける第１縫い目と、前記ファスナーアセンブリを防護衣料用布帛の前記第２領域へ前記第２ファスナーテープの前記第１エッジを通って取り付ける第２縫い目とを有し、
但し前記第１縫い目は前記第２ファスナーテープを通って縫わず、前記第２縫い目は前記第１ファスナーテープを通って縫わない、衣服。
【手続補正２】
【補正対象書類名】明細書
【補正対象項目名】００２９
【補正方法】変更
【補正の内容】
【００２９】
実施例４
実施例１〜３が繰り返されるが、ファスナーアセンブリは、図２Ｂに示されるとおり、前述の内部フラップ特徴部４１を有して構成される。実施例２および３におけるとおり、衣服はファスナーアセンブリを通じた液体／粒子の進入を示さない。
次に、本発明の態様を示す。
１.  衣服と共に使用するためのファスナーアセンブリであって、第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、
ｉ）前記第１および第２ファスナーテープの各々の前記第２エッジが重複し、
ｉｉ）前記第１ファスナーテープの前記第２エッジがファスニング務歯の前記噛合領域を完全に覆い、
ｉｉｉ）前記第１ファスナーテープの前記第２エッジの、前記第２ファスナーテープの前記第２エッジによる重複部分がファスニング務歯の前記噛合領域を越えて延在する、ファスナーアセンブリ。
２.  前記第１ファスナーテープの前記第２エッジ上に内部フラップを形成する逆の折り目をさらに含み、その結果、前記ファスナーが閉じられるとき、前記内部フラップの前記折り目が前記第２ファスナーテープの下にその第１エッジとその第２エッジとの間に嵌り込む、上記１に記載のファスナーアセンブリ。
３.  前記ファスナーはスライドファスナーであり、前記第１および第２ファスナーテープはストリンガテープであり、前記ファスナー務歯は前記ストリンガテープ上に取り付けられた協働スライドファスナー務歯であり、前記スライドファスナーは、前記スライドファスナーを開くおよび閉じるために前記ストリンガテープ上の前記ファスナー務歯と協働するスライダをさらに含む、上記１または２に記載のファスナーアセンブリ。
４.  前記ファスナーがフックアンドループファスナー務歯を有するフックアンドループファスナーである、上記１または２に記載のファスナーアセンブリ。
５.  防護衣料用布帛と、防護衣料用布帛の第１および第２領域をつなぐためのファスナーアセンブリとを含む衣服であって、
ａ）前記ファスナーアセンブリが第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、前記第１および第２ファスナーテープの各々の前記第２エッジが重複し、前記第１ファスナーテープの前記第２エッジがファスニング務歯の前記噛合領域を完全に覆い、前記第１ファスナーテープの前記第２エッジの、前記第２ファスナーテープの前記第２エッジによる重複部分がファスニング務歯の前記噛合領域を越えて延在し、
ｂ）前記衣服が、前記ファスナーアセンブリを防護衣料用布帛の前記第１領域へ前記第１ファスナーテープの前記第１および第２エッジを通って取り付ける第１縫い目と、前記ファスナーアセンブリを防護衣料用布帛の前記第２領域へ前記第２ファスナーテープの前記第１および第２エッジを通って取り付ける第２縫い目とを有し、
但し前記第１縫い目は前記第２ファスナーテープを通って縫わず、前記第２縫い目は前記第１ファスナーテープを通って縫わない、衣服。
６.  前記第１ファスナーテープが防護衣料の第１領域へ、前記第１縫い目を覆う封止テープでさらに取り付けられ、前記第２ファスナーテープが防護衣料の第２領域へ、前記第２縫い目を覆う封止テープでさらに取り付けられる、上記５に記載の衣服。
７.  前記ファスナーアセンブリが前記第１ファスナーテープの前記第２エッジ上に内部フラップを形成する逆の折り目をさらに含み、その結果、前記ファスナーが閉じられるとき、前記内部フラップの前記折り目が前記第２ファスナーテープの下にその第１エッジとその第２エッジとの間に嵌り込む、上記５に記載の衣服。
８.  前記ファスナーはスライドファスナーであり、前記第１および第２ファスナーテープはストリンガテープであり、前記ファスナー務歯は前記ストリンガテープ上に取り付けられた協働スライドファスナー務歯であり、前記スライドファスナーは、前記スライドファスナーを開くおよび閉じるために前記ストリンガテープ上の前記ファスナー務歯と協働するスライダをさらに含む、上記５〜７のいずれか一項に記載の衣服。
９.  前記ファスナーがフックアンドループファスナー務歯を有するフックアンドループファスナーである、上記５〜７のいずれか一項に記載の衣服。
１０.  防護衣料用布帛と、防護衣料用布帛の第１および第２領域をつなぐためのファスナーアセンブリとを含む衣服であって、
ａ）前記ファスナーアセンブリが第１ファスナーテープと第２ファスナーテープとを有するファスナーを含み、各ファスナーテープが内側面および外側面、ならびに第１エッジおよび第２エッジを有し、前記第１エッジ上に協働ファスナー務歯の列が取り付けられ、
前記第１および第２ファスナーテープの各々の前記第２エッジがその協働ファスナー務歯の列に平行に折り曲げられ、その結果、前記ファスナーが閉じられかつ前記第１および第２ファスナーテープからのファスナー務歯の噛合領域が形成されるとき、前記第１および第２ファスナーテープの各々の前記第２エッジが重複し、前記第１ファスナーテープの前記第２エッジがファスニング務歯の前記噛合領域を完全に覆い、前記第１ファスナーテープの前記第２エッジの、前記第２ファスナーテープの前記第２エッジによる重複部分がファスニング務歯の前記噛合領域を越えて延在し、
ｂ）前記衣服が、前記ファスナーアセンブリを防護衣料用布帛の前記第１領域へ前記第１ファスナーテープの前記第１エッジを通って取り付ける第１縫い目と、前記ファスナーアセンブリを防護衣料用布帛の前記第２領域へ前記第２ファスナーテープの前記第１エッジを通って取り付ける第２縫い目とを有し、
但し前記第１縫い目は前記第２ファスナーテープを通って縫わず、前記第２縫い目は前記第１ファスナーテープを通って縫わない、衣服。
１１.  前記ファスナーアセンブリが前記第１ファスナーテープの前記第２エッジ上に内部フラップを形成する逆の折り目をさらに含み、その結果、前記ファスナーが閉じられるとき、前記内部フラップの前記折り目が前記第２ファスナーテープの下にその第１エッジとその第２エッジとの間に嵌り込む、上記１０に記載の衣服。
１２.  前記ファスナーはスライドファスナーであり、前記第１および第２ファスナーテープはストリンガテープであり、前記ファスナー務歯は前記ストリンガテープ上に取り付けられた協働スライドファスナー務歯であり、前記スライドファスナーは、前記スライドファスナーを開くおよび閉じるために前記ストリンガテープ上の前記ファスナー務歯と協働するスライダをさらに含む、上記１０または１１に記載の衣服。
１３.  前記ファスナーがフックアンドループファスナー務歯を有するフックアンドループファスナーである、上記１０または１１に記載の衣服。